(57)【特許請求の範囲】
【請求項１】
光透過性でフィルム状の基材に凹凸状の発光部が複数箇所に形成され、上記基材の端部から発光素子の白色の光が上記基材内に入射されて、上記基材内で導光されていく光が上記各発光部で拡散、反射して上記各発光部位置が照光される導光シートと、上記導光シートの上記発光部の下方位置に配された略ドーム状で導電金属薄板製の可動接点と、を備えた可動接点体であって、
上記導光シートの上記基材として、黄色の補色の青色系に着色する染料や顔料を０．１〜３×１０-4重量％で基材内に分散させて上記基材内での黄色光の透過率を青色光の透過率にほぼ類似までに落としたものとし、
かつ、その基材による導光シートを用いて、上記発光素子の近傍箇所に形成された上記発光部からの白色の発光色に対し、それよりも離れた全ての箇所に形成された上記発光部からの発光色の色度のｘ成分及びｙ成分の変化範囲が−０．０３〜＋０．０３であるものとしたことを特徴とする可動接点体。
【発明の詳細な説明】
【技術分野】
【０００１】
本発明は、主に各種電子機器の操作に使用される導光シート及びこれを用いた可動接点体に関するものである。
【背景技術】
【０００２】
近年、各種電子機器、特に携帯電話等の携帯端末機器においては、周囲が暗い場合でも、押釦や表示シート等の識別や操作が容易に行えるように、発光ダイオードやＥＬ素子等を発光させて操作部の照光を行うものが増えており、これらの機器に用いられる可動接点体やスイッチにも、視認し易い照光を行えるものが求められている。
【０００３】
このような従来の可動接点体やスイッチについて、図１０及び図１１を用いて説明する。
【０００４】
なお、これらの図面は、構成を判り易くするために、部分的に寸法を拡大して表している。
【０００５】
図１０は従来のスイッチの断面図であり、同図において、１は光透過性でフィルム状の基材で、この基材１下面の所定箇所に複数の凹凸状の発光部２が設けられて、導光シート３が形成されている。
【０００６】
そして、４は同じくフィルム状のカバーシート、５は略ドーム状で導電金属薄板製の可動接点で、カバーシート４外周の所定箇所が、接着剤（図示せず）によって導光シート３下面に貼付されると共に、複数の可動接点５が発光部２下方のカバーシート４下面に貼付されて、可動接点体６が構成されている。
【０００７】
また、７は上下面に複数の配線パターン（図示せず）が形成された配線基板で、上面には略円形状の中央固定接点８Ａと、これを囲む略馬蹄状または略リング状の外側固定接点８Ｂから形成された、複数の固定接点８が設けられている。
【０００８】
そして、この配線基板７上面に可動接点体６が、各々の可動接点５の外周が外側固定接点８Ｂ上に載置され、可動接点５の下面中央が中央固定接点８Ａと所定の間隙を空けて、対向するように貼付されている。
【０００９】
また、９は発光ダイオード等の発光素子で、この発光素子９が導光シート３右方の配線基板７上面に実装され、導光シート３の右端側面に発光面を向けて配置されている。
【００１０】
さらに、１０は光透過性でフィルム状の表示シートで、下面に印刷等によって形成された遮光部１０Ａの所定箇所が、文字や記号等の形状にくり抜かれて複数の表示部１０Ｂが形成され、この表示部１０Ｂが導光シート３の発光部２上方に配置されて、スイッチが構成されている。
【００１１】
そして、このように構成されたスイッチが、電子機器の操作面に装着されると共に、中央固定接点８Ａや外側固定接点８Ｂ、発光素子９が配線パターン等を介して、機器の電子回路（図示せず）に接続される。
【００１２】
以上の構成において、表示シート１０の所定の表示部１０Ｂを下方へ押圧操作すると、導光シート３やカバーシート４が撓んで可動接点５の略ドーム状の中央部が押圧され、所定の押圧力が加わると、可動接点５がクリック感を伴って下方へ弾性反転し、可動接点５の下面中央が中央固定接点８Ａに接触することによって、中央固定接点８Ａと外側固定接点８Ｂが、可動接点５を介して電気的に接続された状態となる。
【００１３】
また、表示シート１０への押圧力を解除すると、弾性復帰力によって可動接点５が上方へ弾性反転し、可動接点５の下面中央が中央固定接点８Ａから離れて、中央固定接点８Ａと外側固定接点８Ｂが電気的に切断された状態となる。
【００１４】
そして、このような固定接点８の電気的接離に応じて、機器の各機能の切換えが行われると共に、機器の電子回路から発光素子９に電源が供給されると、発光素子９が発光し、この光が右端側面から導光シート３内に入射して、基材１内を反射しながら左方へ進む。
【００１５】
さらに、この光が導光シート３下面の複数の発光部２で拡散され反射して、表示シート１０の表示部１０Ｂを下方から照光し、複数の表示部１０Ｂが照光されることによって、周囲が暗い場合でも、表示部１０Ｂの文字や記号等の表示が識別でき、操作を容易に行うことが可能なようになっている。
【００１６】
つまり、表示シート１０を押圧操作することによって導光シート３上面を押圧し、可動接点５を弾性反転させて固定接点８の電気的接離を行うと共に、発光素子９の光を右端側面から導光シート３内に導入し、複数の発光部２を発光させることによって、表示シート１０の複数の表示部１０Ｂを照光するように構成されている。
【００１７】
なお、このように導光シート３の複数の発光部２を発光させて、複数の表示部１０Ｂを照光する際、例えば発光素子９の発光色を白色とした場合、通常白色光は青色光と黄色光を混ぜて形成されるが、図１１の特性図に示すように、波長が短く導光シート３内での光の透過率の低い青色光に対し、波長の長い黄色光は光の透過率が高いものとなっている。
【００１８】
したがって、１〜２個前後の少ない発光素子９を用いて照光を行った場合、発光素子９の近傍に配置された発光部２は青色と黄色が混ざった白色で発光するが、発光素子９から離れた箇所の発光部２の発光色は、透過率の低い青色は弱まり透過率の高い黄色が強まった、黄色味を帯びた発光色となるため、複数の表示部１０Ｂの照光がまだらな色となってしまう。
【００１９】
このため、このような複数の発光部２の発光色のばらつきを防ぎ、複数の表示部１０Ｂを均一に照光するには、高価な構成とはなるが、導光シート３の外周に多くの発光素子９を配置し、これによって複数の発光部２を明るくして発光させる必要があるものであった。
【００２０】
なお、この出願の発明に関連する先行技術文献情報としては、例えば、特許文献１が知られている。
【特許文献１】特開２００７−８７７４９号公報
【発明の開示】
【発明が解決しようとする課題】
【００２１】
しかしながら、上記従来の導光シート３や可動接点体６においては、発光素子９の発光色が白色であった場合、発光素子９の近傍に配置された発光部２は白色に発光するが、発光素子９から離れた箇所の発光部２の発光色は黄色味を帯びてしまい、複数の表示部１０Ｂがまだらな色で照光され、見づらいものとなってしまうため、導光シート３の外周に多くの発光素子９を配置する必要があり、構成も複雑で高価なものになってしまうという課題があった。
【００２２】
本発明は、このような従来の課題を解決するものであり、発光色にばらつきがなく、見易く均一な照光が可能な可動接点体を提供することを目的とする。
【課題を解決するための手段】
【００２３】
上記目的を達成するために本発明は、以下の構成を有するものである。
【００２４】
本発明の請求項１に記載の発明は、光透過性でフィルム状の基材に凹凸状の発光部が複数箇所に形成され、上記基材の端部から発光素子の白色の光が上記基材内に入射されて、上記基材内で導光されていく光が上記各発光部で拡散、反射して上記各発光部位置が照光される導光シートと、上記導光シートの上記発光部の下方位置に配された略ドーム状で導電金属薄板製の可動接点と、を備えた可動接点体であって、上記導光シートの上記基材として、黄色の補色の青色系に着色する染料や顔料を０．１〜３×１０-4重量％で基材内に分散させて上記基材内での黄色光の透過率を青色光の透過率にほぼ類似までに落としたものとし、かつ、その基材による導光シートを用いて、上記発光素子の近傍箇所に形成された上記発光部からの白色の発光色に対し、それよりも離れた全ての箇所に形成された上記発光部からの発光色の色度のｘ成分及びｙ成分の変化範囲が−０．０３〜＋０．０３であるものとしたことを特徴とする可動接点体であり、当該構成であれば、発光素子から離れた箇所の発光部も、発光素子近傍の発光部と同様の発光色で照光し、発光素子からの距離にかかわらず、各発光部から得られる発光色にばらつきがなく、少ない数の発光素子で均一な照光を行うことができる簡易な構成で安価な可動接点体を得ることができるという作用を有する。
【発明の効果】
【００２８】
以上のように本発明によれば、発光素子からの距離にかかわらず、各発光部から得られる発光色にばらつきがなく、少ない数の発光素子で均一な照光を行うことができる簡易な構成で安価な可動接点体を得ることができるという有利な効果が得られる。
【発明を実施するための最良の形態】
【００２９】
以下、本発明の実施の形態について、図１〜図９を用いて説明する。
【００３０】
なお、これらの図面は構成を判り易くするために、部分的に寸法を拡大して表している。
【００３１】
また、背景技術の項で説明した構成と同一構成の部分には同一符号を付して、詳細な説明を簡略化する。
【００３２】
（実施の形態１）
以下、実施の形態１の説明をする。
【００３３】
図１は本発明の第１の実施の形態による可動接点体の断面図であり、同図において、１１はフィルム状でポリウレタンやシリコーン、ポリスチレン等の可撓性を有する光透過性の基材で、この基材１１下面の所定箇所には、凹凸状でポリエステルやエポキシ等の白色や乳白色等の複数の発光部１２が、印刷等によってドット状に形成されると共に、基材１１内にはフタロシアニンやインジゴ、アンスラキノン、紺青等の染料や顔料が分散され、基材１１が黄色の補色の青色系に着色されて、導光シート１３が構成されている。
【００３４】
そして、４は同じくフィルム状のカバーシート、５は略ドーム状で銅合金や鋼等の導電金属薄板製の可動接点で、カバーシート４外周の所定箇所が、接着剤（図示せず）等によって導光シート１３下面に貼付されると共に、複数の可動接点５が発光部１２下方のカバーシート４下面に貼付されている。
【００３５】
さらに、１４はポリエチレンテレフタレート等のフィルム状のセパレータで、このセパレータ１４がカバーシート４下面全面を覆うように貼付され、保管・搬送時に可動接点５下面に塵埃等が付着しないようにして、可動接点体１６が構成されている。
【００３６】
また、図２はこのような可動接点体１６を用いたスイッチの断面図であり、同図において、７はポリエチレンテレフタレートやポリカーボネート等のフィルム状、または紙フェノールやガラス入りエポキシ等の板状の配線基板で、上下面に銅等によって複数の配線パターン（図示せず）が形成されると共に、上面には銅やカーボン等によって、略円形状の中央固定接点８Ａと、これを囲む略馬蹄状または略リング状の外側固定接点８Ｂから形成された複数の固定接点８が設けられている。
【００３７】
そして、この配線基板７上面にセパレータ１４を剥離した可動接点体１６が、各々の可動接点５の外周が外側固定接点８Ｂ上に載置され、可動接点５の下面中央が中央固定接点８Ａと所定の間隙を空けて、対向するように貼付されている。
【００３８】
また、９は発光ダイオード等の発光素子で、この発光素子９が導光シート１３右方の配線基板７上面に実装されると共に、導光シート１３の右端側面に発光面を向けて配置されている。
【００３９】
さらに、１０は光透過性でフィルム状の表示シートで、下面に印刷等によって形成された遮光部１０Ａの所定箇所が、文字や記号等の形状にくり抜かれて複数の表示部１０Ｂが形成され、この表示部１０Ｂが導光シート１３の発光部１２上方に配置されて、スイッチが構成されている。
【００４０】
そして、このように構成されたスイッチが、電子機器の操作面に装着されると共に、中央固定接点８Ａや外側固定接点８Ｂ、発光素子９が配線パターン等を介して、機器の電子回路（図示せず）に接続される。
【００４１】
以上の構成において、表示シート１０の所定の表示部１０Ｂを下方へ押圧操作すると、導光シート１３やカバーシート４が撓んで可動接点５の略ドーム状の中央部が押圧され、所定の押圧力が加わると、可動接点５がクリック感を伴って下方へ弾性反転し、可動接点５の下面中央が中央固定接点８Ａに接触することによって、中央固定接点８Ａと外側固定接点８Ｂが、可動接点５を介して電気的に接続された状態となる。
【００４２】
また、表示シート１０への押圧力を解除すると、弾性復帰力によって可動接点５が上方へ弾性反転し、可動接点５の下面中央が中央固定接点８Ａから離れて、中央固定接点８Ａと外側固定接点８Ｂが電気的に切断された状態となる。
【００４３】
そして、このような固定接点８の電気的接離に応じて、機器の各機能の切換えが行われると共に、機器の電子回路から発光素子９に電源が供給されると、発光素子９が発光し、この光が右端側面から導光シート１３内に入射して、基材１１内を反射しながら左方へ進む。
【００４４】
さらに、この光が導光シート１３下面の複数の発光部１２で拡散され反射して、表示シート１０の表示部１０Ｂを下方から照光し、複数の表示部１０Ｂが照光されることによって、周囲が暗い場合でも、表示部１０Ｂの文字や記号等の表示が識別でき、操作を容易に行うことが可能なようになっている。
【００４５】
すなわち、表示シート１０を押圧操作することによって導光シート１３上面を押圧し、可動接点５を弾性反転させて固定接点８の電気的接離を行うと共に、発光素子９の光を右端側面から導光シート１３内に導入し、複数の発光部１２を発光させることによって、表示シート１０の複数の表示部１０Ｂを照光するように構成されている。
【００４６】
そして、この時、導光シート１３の基材１１内には上述したように染料や顔料が分散され、基材１１が黄色の補色であり、黄色を吸収する青色系に着色されているため、発光素子９から離れた箇所の発光部１２も、発光素子９近傍の発光部１２と同様に発光し、発光色にばらつきがなく、複数の表示部１０Ｂの見易く均一な照光が行えるようになっている。
【００４７】
つまり、例えば発光素子９の発光色を白色とした場合、通常白色光は青色光と黄色光を混ぜて形成され、図３の特性図の破線Ｌに示すように、波長の短い青色光は導光シート１３内での光の透過率が低く、波長の長い黄色光は光の透過率が高いため、基材１１が着色されていないものであった場合、発光素子９から離れた箇所の発光部１２の発光色は、光が基材１１内を反射しながら進むうちに、透過率の低い青色は弱まり透過率の高い黄色が強まった、黄色味を帯びた発光色となってしまう。
【００４８】
そして、導光シート１３の外形寸法が携帯電話等に用いられる３〜１５ｃｍ前後のものであった場合、発光素子９から離れた発光部１２の発光色は、発光素子９近傍の発光部１２に比べ、図４の色度図に矢印で示すように、白色からｘ成分及びｙ成分が＋０．０３〜＋０．２前後増加し、黄色味を帯びた発光色となる。
【００４９】
これに対し、基材１１が黄色の補色の青色系に着色された本実施の形態においては、黄色光は青色の基材１１に吸収され、図３の実線Ｍに示すように、透過率が青色光とほぼ類似のものとなり、ｘ成分及びｙ成分の変化も−０．０３〜＋０．０３前後となって、発光素子９から離れた発光部１２も、近傍の発光部１２と殆んど色度差のない白色の発光色となる。
【００５０】
つまり、発光素子９近傍の発光部１２は、基材１１の青色の影響を殆んど受けずそのまま白色に発光すると共に、発光素子９から離れた箇所の発光部１２も、光が基材１１内を反射しながら進むうちに黄色の影響は受けるが、これが基材１１の青色によって吸収され、青色が弱まり黄色が強まった、黄色味を帯びた発光色となることはなく、発光素子９近傍の発光部１２と同様に白色で発光するため、複数の表示部１０Ｂを均一な発光色で照光することができるように構成されている。
【００５１】
すなわち、基材１１を黄色の補色であり、黄色を吸収する青色系に着色することによって、導光シート１３の外周に多くの発光素子９を配置する必要はなく、１〜２個前後の少ない発光素子９を用いて照光を行った場合でも、複数の発光部１２を均一に発光させることができるため、安価な構成で発光色のばらつきを防ぎ、複数の表示部１０Ｂを良好に照光することが可能なようになっている。
【００５２】
なお、具体的には、基材１１が着色されていないものであった場合、発光部１２が発光素子９から４〜６ｃｍ離れると０．０４〜０．１０前後、１０ｃｍ離れると０．１０〜０．１７前後のｘ成分及びｙ成分の変化が生じるが、上記のように基材１１を黄色の補色の青色系に着色することによって、ｘ成分及びｙ成分の変化は発光素子９から４〜６ｃｍ離れても０．００２〜０．０１１前後、１０ｃｍ離れても０．００５〜０．０１８前後となり、この程度の外形寸法の導光シート１３であれば、１個の発光素子９で１列に並んだ複数の発光部１２を均一に発光させることが充分に可能である。
【００５３】
また、黄色の補色の青色系に着色するために基材１１内に分散する材料としては、上述したような染料が好ましく、分散量としては０．１〜３×１０-4重量％、さらには０．３〜１．５×１０-4重量％の分散量がより好ましい。
【００５４】
さらに、本発明においては、この青色系に着色した基材１１として、上述したようにポリウレタンやシリコーン、ポリスチレン等の、弾性率が小さく柔らかな軟質材料を用いているため、上記のような均一な照光に加え、導光シート１３を介して可動接点５を押圧操作した際、可動接点５のクリック感の劣化のない、良好な操作感触が得られるようになっている。
【００５５】
つまり、弾性率が約２２００ＭＰａ前後のポリカーボネートや、弾性率が約３０００ＭＰａ前後のポリエチレンテレフタレート等の、弾性率１５００ＭＰａ以上の硬質材料を基材１１に用いた場合、これを介して可動接点５を押圧操作した際に、可動接点５のクリック感がどうしても損なわれてしまうが、上記のように弾性率１０００ＭＰａ以下の軟質材料を用いることで、このクリック感の劣化を防ぎ、良好な操作感触を得ることができる。
【００５６】
なお、より良好な操作感触を得るには、弾性率１〜２００ＭＰａ、さらには弾性率１〜５０ＭＰａの軟質材料を用いることがより好ましい。
【００５７】
このように本実施の形態によれば、光透過性でフィルム状の基材１１を、黄色の補色であり、黄色を吸収する青色系に着色することによって、発光素子９から離れた箇所の発光部１２も、発光素子９近傍の発光部１２と同様に発光させることができるため、発光色にばらつきがなく、見易く均一な照光が可能な導光シート１３、及びこれを用いた可動接点体１６を得ることができるものである。
【００５８】
さらに、基材１１に弾性率が小さく柔らかな軟質材料を用いることによって、均一な照光に加え、導光シート１３を介して可動接点５を押圧操作した際、可動接点５のクリック感の劣化のない、良好な操作感触を得ることができる。
【００５９】
（実施の形態２）
以下、実施の形態２の説明をする。
【００６０】
なお、実施の形態１の構成と同一構成の部分には同一符号を付して、詳細な説明を省略する。
【００６１】
図５は本発明の第２の実施の形態による可動接点体の断面図、図６は同平面図であり、同図において、２１は光透過性でフィルム状の、例えば透明な基材で、この基材２１下面の所定箇所に、複数の凹凸状の発光部２２や２２Ａ、２２Ｂ、２２Ｃ、２２Ｄが、印刷等によってドット状に形成されている。
【００６２】
そして、この発光部２２Ａや２２Ｂ等は、実施の形態１の場合と同様の白色や乳白色等の白色発光部２３Ａと、酸化チタンやチタン酸バリウム等のフィラー材が分散されたアクリルやポリエステル、エポキシやシリコーン等に、フタロシアニンやインジゴ、アンスラキノン、紺青等の顔料や染料が分散され、黄色の補色の青色系に着色された青色発光部２３Ｂから形成されている。
【００６３】
さらに、この白色発光部２３Ａと青色発光部２３Ｂは、右端部の発光部２２は殆んどが白色発光部２３Ａから形成されているが、この左方の発光部２２Ａや２２Ｂ、２２Ｃとなるにしたがって青色発光部２３Ｂの割合が多くなり、左端部の発光部２２Ｄは殆んどが青色発光部２３Ｂから形成されて、導光シート２５が構成されている。
【００６４】
なお、この導光シート２５下面に、複数の可動接点５を貼付したカバーシート４が貼付され、このカバーシート４下面全面をセパレータ１４が覆って、可動接点体２６が構成されていることは、実施の形態１の場合と同様であるため、詳細な説明は省略する。
【００６５】
また、図７はこのような可動接点体２６を用いたスイッチの断面図であり、同図において、上下面に複数の配線パターン（図示せず）が形成された配線基板７の上面に、中央固定接点８Ａと外側固定接点８Ｂから形成された複数の固定接点８が設けられていることや、この配線基板７上面にセパレータ１４を剥離した可動接点体２６が、貼付されていることは実施の形態１の場合と同様である。
【００６６】
さらに、発光素子９が導光シート２５の右端側面に発光面を向けて配置されていることや、表示シート１０の表示部１０Ｂが導光シート２５の発光部２２や２２Ａ、２２Ｂ等の上方に配置されて、スイッチが構成されていることも実施の形態１の場合と同様である。
【００６７】
そして、このように構成されたスイッチが、電子機器の操作面に装着され、表示シート１０の所定の表示部１０Ｂを下方へ押圧操作すると、可動接点５がクリック感を伴って下方へ弾性反転し、可動接点５を介して中央固定接点８Ａと外側固定接点８Ｂの電気的接離が行われ、この固定接点８の電気的接離に応じて、機器の各機能の切換えが行われることも実施の形態１の場合と同様である。
【００６８】
また、機器の電子回路から発光素子９に電源が供給されると、発光素子９が発光し、この光が右端側面から導光シート２５内に入射して、複数の発光部２２で拡散され反射して、表示シート１０の複数の表示部１０Ｂを下方から照光することも、実施の形態１の場合と同様であるが、この時、発光部２２Ａや２２Ｂ等が上述したように、白色発光部２３Ａと黄色の補色の青色系に着色された青色発光部２３Ｂから形成されているため、発光素子９から離れた箇所の発光部２２Ａや２２Ｂ等も、発光素子９近傍の発光部２２と同様に白色に発光して、発光色のばらつきがなく、均一な照光が行えるようになっている。
【００６９】
つまり、図６に示すように、発光素子９から導光シート２５内に入射した白色光は、先ず発光素子９近傍の、白色発光部２３Ａから形成された発光部２２で反射して、この上方の表示部１０Ｂを白色に照光するが、この後、透明な基材２１内を左方へ進むにしたがって透過率の低い青色は弱まり透過率の高い黄色が強まった、黄色味を帯びた発光色となる。
【００７０】
しかし、発光部２２Ａや２２Ｂ等は発光素子９から離れた左方になるほど、黄色の補色であり、黄色を吸収する青色系に着色された青色発光部２３Ｂが多く形成されているため、例えば、中間部でやや黄色味を帯びた白色光も、発光部２２Ｂで反射する際、青色発光部２３Ｂによって黄色味が吸収され、白色の光となって上方の表示部１０Ｂを照光する。
【００７１】
さらに、発光素子９から最も離れた左端部の発光部２２Ｄは、殆んどが青色発光部２３Ｂから形成されているため、相当に黄色味を帯びた白色光でも、この多くの青色発光部２３Ｂによって白色の光となって、上方の表示部１０Ｂの照光が行われる。
【００７２】
つまり、凹凸状の発光部２２Ａや２２Ｂ等を白色発光部２３Ａと、黄色の補色で黄色を吸収する青色系に着色した青色発光部２３Ｂから形成すると共に、この白色発光部２３Ａと青色発光部２３Ｂの割合を、発光素子９からの距離に応じて変化させることによって、発光素子９から離れた導光シート２５中間部の発光部２２Ｂや左端部の発光部２２Ｄも、白色光を形成する黄色光の反射量が青色光とほぼ類似のものとなり、黄色味を帯びた発光色となることはなく、発光素子９近傍の発光部２２と同様に白色で発光するように構成されている。
【００７３】
すなわち、導光シート２５の外周に多くの発光素子９を配置する必要はなく、１〜２個前後の少ない発光素子９を用いて照光を行った場合でも、複数の発光部２２が均一に発光するため、安価にスイッチを構成できると共に、発光色のばらつきを防ぎ、複数の表示部１０Ｂを均一な発光色で照光することが可能なようになっている。
【００７４】
このように本実施の形態によれば、光透過性でフィルム状の基材２１の、所定箇所に形成された複数の凹凸状の発光部２２Ａや２２Ｂ等を、白色発光部２３Ａと黄色の補色の青色系に着色した青色発光部２３Ｂから形成すると共に、この白色発光部２３Ａと青色発光部２３Ｂの割合を、発光素子９からの距離に応じて変えることによって、発光素子９から離れた箇所の発光部２２Ｂや２２Ｄ等も、発光素子９近傍の発光部２２と同様に発光させることができるため、発光色にばらつきがなく、見易く均一な照光が可能な導光シート２５、及びこれを用いた可動接点体２６を得ることができるものである。
【００７５】
（実施の形態３）
以下、実施の形態３の説明をする。
【００７６】
なお、実施の形態１や２の構成と同一構成の部分には同一符号を付して、詳細な説明を省略する。
【００７７】
図８は本発明の第３の実施の形態による可動接点体の断面図であり、同図において、２１は光透過性でフィルム状の、例えば透明な基材で、この基材２１下面の所定箇所に、実施の形態１の場合と同様の白色や乳白色等の複数の発光部１２が、印刷等によってドット形状に形成されている。
【００７８】
さらに、基材２１上面には印刷等によって、アクリルやポリエステル、エポキシ、シリコーン等に、フタロシアニンやインジゴ、アンスラキノン、紺青等の顔料や染料が分散され、黄色の補色の青色系に着色された反射層２７が形成されて、導光シート２８が構成されている。
【００７９】
なお、この導光シート２８下面に、複数の可動接点５を貼付したカバーシート４が貼付され、このカバーシート４下面全面をセパレータ１４が覆って、可動接点体２９が構成されていることは、実施の形態１や２の場合と同様である。
【００８０】
また、このような可動接点体２９がセパレータ１４を剥離した後、配線基板７の上面に貼付されると共に、発光素子９が導光シート２８の右端側面に発光面を向けて配置され、表示シート１０の表示部１０Ｂが導光シート２８の複数の発光部１２の上方に配置されて、スイッチが構成されることも実施の形態１や２の場合と同様であるため、詳細な説明は省略する。
【００８１】
さらに、このように構成されたスイッチが、電子機器の操作面に装着され、表示部１０Ｂを押圧操作すると、可動接点５がクリック感を伴って下方へ弾性反転し、可動接点５を介して固定接点８の電気的接離が行われ、これに応じて機器の各機能の切換えが行われることも実施の形態１や２の場合と同様である。
【００８２】
そして、発光素子９が発光すると、この光が右端側面から導光シート２８内に入射して、複数の発光部１２で拡散され反射して、表示シート１０の照光が行われることも、実施の形態１や２の場合と同様であるが、この時、右端側面から入射した発光素子９の光は、透明な基材２１内を青色系に着色された反射層２７で反射しながら左方へ進む。
【００８３】
つまり、本実施の形態においては、導光シート２８内に入射した白色光が、透明な基材２１内を左方へ進むにしたがって、透過率の低い青色は弱まり透過率の高い黄色が強まった、黄色味を帯びた発光色となることを、青色系に着色された反射層２７で反射させ、黄色味を吸収することによって防ぐように構成されている。
【００８４】
したがって、発光素子９から離れた箇所の発光部１２も、発光素子９近傍の発光部１２と同様に白色に発光して、発光色のばらつきがなく、表示シート１０の均一な照光が行えるようになっている。
【００８５】
なお、以上の説明では、透明な基材２１上面に、黄色の補色の青色系に着色された反射層２７を形成した構成について説明したが、図９の断面図に示すように、反射層２７を基材２１下面に形成し、この下面に発光部１２を形成した構成や、あるいは、反射層２７を基材２１上下面の両面に形成した構成としても、本発明の実施は可能である。
【００８６】
また、以上の説明では、基材２１上面や下面に反射層２７を、印刷等によって形成した構成について説明したが、上述したような顔料や染料が分散された溶液を基材２１上面や下面に塗布し、これを基材２１内にしみ込ませて反射層を形成してもよい。
【００８７】
このように本実施の形態によれば、複数の凹凸状の発光部１２が形成された光透過性で、フィルム状の基材２１の上面または下面の少なくとも一方に、黄色の補色の青色系に着色した反射層２７を設けることによって、黄色の補色であり、黄色を吸収する青色系に着色された反射層２７によって、発光素子９から離れた箇所の発光部１２も、発光素子９近傍の発光部１２と同様に発光させることができるため、発光色にばらつきがなく、見易く均一な照光が可能な導光シート２８、及びこれを用いた可動接点体２９を得ることができるものである。
【００８８】
なお、以上の説明では、発光素子９の白色の発光色を青色光と黄色光を混ぜて形成した場合について説明したが、青色光と緑色光、赤色光の３つの発光素子を用い、これらの色を混ぜて白色光を形成した場合や、近紫外光を青色と緑色、赤色の蛍光体に当て、これらを混ぜて白色光を形成した場合においても、本発明の実施は可能である。
【００８９】
また、以上の説明では、可動接点５上方の基材１１や２１下面に、印刷によって複数の発光部１２や２２を形成した構成について説明したが、下面ではなく基材１１や２１上面に発光部１２や２２を形成した構成としても本発明の実施は可能であり、また、印刷以外にも貼付やプレス加工、成形加工等、様々な方法によって凹凸状の発光部１２や２２の形成は可能である。
【００９０】
さらに、以上の説明では、下面に複数の可動接点５が貼付されたカバーシート４を、導光シート１３や２５、２８の下面に貼付した構成について説明したが、カバーシート４をなくし、導光シート１３や２５、２８の下面に複数の可動接点５を直接貼付した構成とすれば、全体の構成部品数を減らし、可動接点体１６や２６、２９をより簡易で安価なものとすることができる。
【産業上の利用可能性】
【００９１】
本発明による可動接点体は、発光素子からの距離にかかわらず、各発光部から得られる発光色にばらつきがなく、少ない数の発光素子で均一な照光を行うことができる簡易な構成で安価なものとして得ることができ、主に各種電子機器の操作用として有用である。
【図面の簡単な説明】
【００９２】
【図１】本発明の第１の実施の形態による可動接点体の断面図
【図２】同スイッチの断面図
【図３】同特性図
【図４】同色度図
【図５】本発明の第２の実施の形態による可動接点体の断面図
【図６】同平面図
【図７】同スイッチの断面図
【図８】本発明の第３の実施の形態による可動接点体の断面図
【図９】同他の実施の形態による断面図
【図１０】従来のスイッチの断面図
【図１１】同特性図
【符号の説明】
【００９３】
４  カバーシート
５  可動接点
７  配線基板
８  固定接点
８Ａ  中央固定接点
８Ｂ  外側固定接点
９  発光素子
１０  表示シート
１０Ａ  遮光部
１０Ｂ  表示部
１１、２１  基材
１２、２２、２２Ａ、２２Ｂ、２２Ｃ、２２Ｄ  発光部
２３Ａ  白色発光部
２３Ｂ  青色発光部
１３、２５、２８  導光シート
１４  セパレータ
１６、２６、２９  可動接点体
２７  反射層
【図１】
0005293068.tif 000002
【図２】
0005293068.tif 000003
【図３】
0005293068.tif 000004
【図４】
0005293068.tif 000005
【図５】
0005293068.tif 000006
【図６】
0005293068.tif 000007
【図７】
0005293068.tif 000008
【図８】
0005293068.tif 000009
【図９】
0005293068.tif 000010
【図１０】
0005293068.tif 000011
【図１１】
0005293068.tif 000012